(57)【特許請求の範囲】
【請求項１】
機械又は類似物の回転シャンク又は軸用回転コネクタであり、前記回転コネクタは、前記シャンク又は軸をクランプすることによって収容するために円周方向に閉鎖された内面によって境界される開口部を持つ少なくとも１つのスリーブ本体を含み、前記開口部は円周方向の内面に前記シャンク又は軸を圧入でしっかりと固定するためのクランプ領域を備え、前記スリーブ本体から半径方向に外側へ向かって延びる複数のスポークがある回転コネクタであり、該スポークは、前記クランプ領域をつなげている前記スリーブ本体の部分につながり、該部分の半径方向に外側の端部において、各前記スポークは、円周方向に備えられた個別の質量につながり、該個別の質量の各々は、前記スポークによって前記スリーブ本体につながるのみであり且つ他の如何なるスポークにもつながらず、
前記開口の断面は多角形形状を有し、前記クランプ領域は、前記多角形形状の角の間に延びる前記開口の前記内面の部分によって形成され、前記角は前記スリーブ本体の前記部分である、回転コネクタ。
【請求項２】
請求項１に記載の回転コネクタであり、前記開口の断面は三角形状である、回転コネクタ。
【請求項３】
請求項１又は２に記載の回転コネクタであり、前記クランプ領域をつなげている前記スリーブ本体の部分は、前記スポークにおいて半径方向に外側へ向けられた力を、前記クランプ領域が及ぼす内側へ向けられた力に変換するためのレバーとして作用することを特徴とする、回転コネクタ。
【請求項４】
請求項１乃至３のいずれか１項に記載の回転コネクタであり、前記開口部の内周に沿って対称的に備えられた３つのクランプ領域があることを特徴とする、回転コネクタ。
【請求項５】
請求項１乃至４のいずれか１項に記載の回転コネクタであり、該コネクタは、該コネクタのスリーブ本体を通る中央の体軸に関して回転対称であることを特徴とする、回転コネクタ。
【請求項６】
請求項１乃至５のいずれか１項に記載の回転コネクタであり、該コネクタは、２つの前記スリーブ本体を有し、該２つのスリーブ本体の各々は、前記シャンク又は軸を収容するために前記開口部を備えた前記端部領域を有し、該２つのスリーブ本体は、共通の中心軸を共有し、反対方向を向いた前記開口部を有する、ことを特徴とする回転コネクタ。
【請求項７】
請求項６に記載の回転コネクタであり、前記２つのスリーブ本体は、一体的に形成されていることを特徴とする、回転コネクタ。
【請求項８】
請求項６又は７に記載の回転コネクタであり、分離スロットが、該コネクタの内面に備えられ、前記反対方向を向いた開口部の隣り合う前記クランプ領域を少なくとも部分的に分離することを特徴とする、回転コネクタ。
【発明の詳細な説明】
【技術分野】
【０００１】
本発明は、少なくとも1つのスリーブ本体を有する機械又は類似物の回転シャンク又は軸に関し、末端領域は、前記シャンク又は軸をクランプによって収容するために円周方向が閉鎖された内面によって境界された開口部を有し、その円周方向の内面における開口部には、圧入でそのシャンク又は軸をしっかりと固定するためのクランプ領域が備えられ；前記スリーブ本体から半径方向に外側に延びる複数のスポークが存在する。
【背景技術】
【０００２】
そのような回転式コネクタは、特許文献1から知られている。
【０００３】
その従来の回転式コネクタは、回転具の正確なクランプを目的とし、そのような回転具の簡単な搭載及び取り外しを可能にする。
【０００４】
従来の回転式コネクタの基本的な実施形態は、外側に方向付けられた先端部が、外側の円周方向のケーシングにつながっているスポークを有する。この円周方向のケーシングを適切に押圧することによって、それらのスポークは、クランプ領域をその回転具から解放するように、引っ張られる。
【０００５】
特許文献1は、その回転式コネクタ又は工具ホルダーの回転作動の間に生じる遠心力に関連する問題を認識する。これらの遠心力は、その収容開口部が半径方向に広がる結果として、それらの張力スポークを半径方向に外側の方向に動かすようにする。これは、この遠心力によって衰弱しているシャンク又は軸における圧入の危険性をもたらす可能性があり、最悪の場合の状況ではそれらは失われさえする。この問題の解決策は、スポークの外側に延びる先端部をつなげる外周のケーシングにおいて適切な箇所に質量を配置することが、教示されている。従って、その遠心力は、高い回転速度が追加の質量によって起こるときに、内側に向けられた圧縮力を、圧入を増加させているスポークへ誘導する。
【先行技術文献】
【特許文献】
【０００６】
【特許文献１】米国特許第7,217,072号明細書
【発明の概要】
【発明が解決しようとする課題】
【０００７】
本発明の目的は、非常に高い回転速度に適用されてもよい、従来の回転式コネクタの代替手段を提供することである。
【課題を解決するための手段】
【０００８】
本発明の回転式コネクタは、そのために、添付の請求項の1つ又はそれ以上によって特徴付けられる。
【０００９】
本発明の第1態様において、回転式コネクタは、クランプ領域をつなげるスリーブ本体の部分をつなげるスポークを有し、その半径方向に外側の端部において、各スポークは、半径方向に備えられた個別の質量につながり、個別の質量の各々は、前記スポークによってスリーブ本体につながるのみであり、他の如何なるスポークにもつながっていない。
【００１０】
この配置によって、そのクランプ領域をつなげるスリーブ本体の部分が、そのスポークにおいて半径方向に外側に向けられた力を、それらのクランプ領域が及ぼす内側に向けられた力に変換するためのレバー（lever）として作用するという効果が得られる。本発明のコネクタで、コネクタの本体においてシャンク又は軸を手動で固定することが可能であるというさらなる効果が得られる。これは、コネクタがいまだに停止しているときに、緩やかな初期のクランプ力だけを加える可能性があることによる。
【００１１】
3つのクランプ領域が、前記開口部の内周に沿って対称的に備えられている。これは、シャンク又は軸を押圧するコネクタの内面の非常に正確な事前の位置決めを必要とする特許文献1の従来の構成とは対照的に、シャンク又は軸の事前の位置決めが無くても、それらの3つのクランプ領域は、クランプされるべきシャンク又は軸の位置を正確に定めるクランプ・ラインを供給するという利点を提供する。
【００１２】
特に、高い回転速度を適用する場合、そのコネクタが、そのスリーブ本体を通る中央の体軸に関して回転対称であることが有利である。
【００１３】
その回転式コネクタは、上記で考察されたように、中間の弾性結合を通して他の（類似の）回転式コネクタに結合されてもよい。これは、同じ回転動作を実施しなければいけないシャンク又は軸をお互いにつなぐための効果的な手段である。
【００１４】
本発明のさらなる態様において、回転式コネクタは2つのスリーブを有し、各スリーブは、シャンク又は軸を収容するために開口部を備えた端部領域を有することが可能であり、スリーブ本体は、共通の中央の体軸を共有し、逆方向性の開口部を有するのが望ましい。有利にも、前記の2つのスリーブ本体は、一体化して形成される。
【００１５】
さらなる有益な配置は、分離スロットがコネクタの内面に備えられ、前記逆方向性の開口部の隣り合っているクランプ領域を少なくとも部分的に分離する配置である。これは、互いにつながるべき軸又はシャンクの異なる直径を適用することを許容する。
【００１６】
本発明は、以下において、本発明の回転式コネクタの模範的な実施形態及び図を参照して、さらに明らかになるであろう。
【図面の簡単な説明】
【００１７】
【図１】本発明の回転式コネクタの断面図である。
【図２】本発明の回転式コネクタの等角図である。
【図３】機械の軸につながっている回転式コネクタを図1に従って示す断面図である。
【発明を実施するための形態】
【実施例】
【００１８】
図1及び図3を参照すると、本発明の回転式コネクタ1は、機械又は他の装置の回転しているシャンク又は軸（図3参照）につなげるために示されている。
【００１９】
回転式コネクタ1は、開口部5が備えられた、図2に示されるような端部領域4を持つ少なくとも1つのスリーブ本体3を有する。この開口部5は、シャンク又は軸2をクランプによって収容するために、円周方向において閉鎖された内面6によって境界され、それは図3において概略的に示されている。
【００２０】
その開口部5には、円周方向にクランプ領域7を持つ内面6が備えられており、そのクランプ領域7は、シャンク又は軸2を、特にそこにつながっている回転式コネクタ1及び軸2の高い回転速度で、圧入でしっかりと固定することを目的としている。
【００２１】
それらの図、特に図1は、スリーブ本体3から半径方向に外側に向かって延びる複数のスポーク8があることをさらに示す。これらのスポーク8は、スリーブ本体3の部分9につながり、その部分9は、クランプ領域7をつなぎ、各スポーク8の半径方向に外側の端部にある。それらのスポーク8は、円周方向に備えられた個別の質量10につながり、個別の質量10の各々は、それらがそれぞれつながるスポーク8によってスリーブ本体3につながるのみであり、他の如何なるスポーク8にもつながっていない。
【００２２】
図1を参照して詳細にここで記載されたような構成は、クランプ領域７をつなげるスリーブ本体3の部分9が、それらのスポーク8における半径方向に外側に向けられた力を、クランプ領域7が及ぼす内側に向けられた力に変換するためのレバーとして作用する。それらのレバーは、図1において、特に参照番号11で記されている。
【００２３】
図1、図2及び図3は、前記の開口部5の内周に沿って対称的に備えられている望ましくは3つのクランプ領域7があることを、明確に示す。
【００２４】
それらの図は、コネクタ1が、そのコネクタのスリーブ本体3を通して仮想の中央の体軸に関して回転対称であることが望ましいことをさらに明確に示す。
【００２５】
図2に示される回転式コネクタ1を見るときに単純に想像することができるように、このコネクタ1は、2つのスリーブ本体3’、3”を有し、それらの本体の各々は、シャンク又は軸を収容するために開口部5を備えた端部領域4を有する。この回転式コネクタ1のスリーブ本体3'、3”は、共通の中央の体軸を共有し、逆方向性の開口部5を有する。その開口部5のうちの1つだけが図2において見える。
【００２６】
図2は、回転式コネクタ1が、その逆方向性の開口部5に付属する、隣接している又は隣り合っているクランプ領域7を、少なくとも部分的に分離するように働くコネクタ1内面6において備えられた分離スロット12を持ってもよい。
【図１】
0005591812.tif 000002
【図２】
0005591812.tif 000003
【図３】
0005591812.tif 000004